(57)【要約】【課題】画像形成装置のトナー容器設置部にトナー容器をスムーズに着脱できる画像形成装置を提供する。【解決手段】内部にトナーを収容したトナー収容容器が挿入される容器挿入口３８１と、容器挿入口の周囲を囲む挿入口周囲壁面とを備え、挿入口周囲壁面３８２〜３８５のうち、トナー収容容器挿入方向Ａ手前側の上部突出壁面より下部突出壁面が前記トナー収容容器挿入方向手前側により大きく突出し形成され、トナー収容容器３１はトナー収容容器挿入方向に直交する方向の略中央部の底部にトナー排出口５０を設け、トナー排出口を開閉するシャッター５１収容容器開閉部材を備え、下部突出壁面のうち、中央部がトナー挿入方向下流側に向かって収容容器開閉部材の挿入方向に直交する方向の長さＷ１よりも長い幅Ｗ２で切り込まれたへこみ部６１を有する。【選択図】図８
2014219573.tif 000002
【特許請求の範囲】
【請求項１】
内部にトナーを収容したトナー収容容器が挿入される容器挿入口と、
前記容器挿入口の周囲を囲む挿入口周囲壁面と、
を備えた画像形成装置において、
前記挿入口周囲壁面のうち、トナー収容容器挿入方向手前側の上部突出壁面より下部突出壁面が前記トナー収容容器挿入方向手前側により大きく突出し形成され、
前記トナー収容容器はトナー収容容器挿入方向に直交する方向の略中央部の底部にトナー排出口を設けると共に、前記トナー排出口を開閉する収容容器開閉部材を備え、
前記下部突出壁面のうち、前記トナー収容容器挿入方向に対して直交する方向における中央部が前記トナー収容容器挿入方向下流側に向かって前記収容容器開閉部材の挿入方向に直交する方向の長さよりも長い幅で切り込まれたへこみ部を有することを特徴とする画像形成装置。
【請求項２】
前記トナー収容容器は前記トナー収容容器挿入方向の長さが、当該挿入方向に直交する方向の長さよりも短く、
前記トナー収容容器挿入方向の上流側に把持部を備えていることを特徴とする請求項１記載の画像形成装置。
【請求項３】
前記へこみ部から、前記トナー収容容器挿入方向下流側に延びる底面に前記トナー収容容器に収容されているトナーの色情報が表示されていることを特徴とする請求項１または２に記載の画像形成装置。
【請求項４】
前記トナー収容容器の下壁には前記トナー収容容器挿入方向に延びる一対の板部が、前記開閉部材を挟んで設けられており、前記両板部間の幅が前記へこみ部よりも大きいことを特徴とする請求項１、２または３記載の画像形成装置。
【発明の詳細な説明】
【技術分野】
【０００１】
本発明は、複写機、プリンタ、ファクシミリ、及びこれらの複合機等の電子写真方式からなる画像形成装置であって、現像に用いるトナーを収容するトナー容器を画像形成装置本体側に設けたトナー容器設置部に着脱できるようにした画像形成装置に関する。
【背景技術】
【０００２】
従来、複写機、プリンタ、ファクシミリ等の電子写真方式における画像形成装置は、感光体ドラムや感光体ベルトなどの潜像担持体を有しており、この潜像担持体の表面にレーザ光を照射して該表面上に画像情報を静電潜像として形成する。その上で、現像装置により静電潜像にトナーを付着させて当該静電潜像を顕像化（可視像化）するように構成されている。
【０００３】
この現像装置ではトナーが消費されるので、画像形成装置にはトナーを供給するために、トナー容器や、これを含み他の画像形成部材と集約化されたトナーカートリッジが設けられている。この種のトナー容器は、印刷によるトナー消費でトナー残量がなくなると交換しなければならない。そのため、トナー容器の寿命を長くするために、トナー容量を多くすることが望まれる。しかしながら、一般にトナー容量を大きくすると、それに伴ってトナー容器も大きくなり、これを装着する画像形成装置本体も大型化しなければならなくなる。このため、トナー容器はトナー容量が大きく、且つ省スペース（無駄なスペースが少ない）のものが求められる。
ところで、トナー容器には、特許文献１に示されるような上下が長く前後が短いほぼ直方体に形成され、画像形成装置本体側のトナー容器設置部に対し上下に着脱されるトナー容器や、特許文献２に示されるような画像形成装置本体の手前面側に把持部を配置した回転するトナー容器が知られている。
特許文献１のトナー容器は、開閉ドアを開放し、そこにトナー収容体を下向きに挿入することができるが、ここでのトナー収容体は袋部の下端にアダプタや口金部材を備え、これらが、開閉ドアの閉鎖に連動して、口金部材にセットされた口栓部材を開放して、トナー排出口を開放し、トナー供給を可能としている。
特許文献２の円筒状のトナー容器は、本体前カバーを手前に開いてトナー容器設置部を露出させ、トナー容器の一端側をトナー設置部に手前側からその奥側に向けて押し込みセットするため、容器本体の着脱操作時に使用者が把持するための把持部が設けられる。
【発明の概要】
【発明が解決しようとする課題】
【０００４】
ここで、特許文献１のような構成のトナー容器ではトナー容器設置部にトナー容器をセットすると同時に口金部材にセットされた口栓部材を開放作動させ、トナー排出口を解放してトナー供給するため、セット位置のずれがあると作動不良を起こし易い。
一方、特許文献２のトナー容器では、トナー容器をブロー成形する際に設けた把持部の裏側にトナーが溜まりやすく、把持部に排出されないトナーの残量を増やしてしまうという問題がある。
更に、特許文献２のように、容器挿入口より奥側まで水平方向にトナー容器を移動させる場合、トナー容器の底部を手前側の容器挿入口の底部に載置した上で奥側のトナー容器設置部まで移動させる。この際、トナー容器の底部と容器挿入口の底部とが当接した状態であってもスムーズにトナー容器設置部にトナー容器が移動する必要がある。特に、トナー容器設置部に配置するトナー容器はその下部側のトナー排出口を現像装置に連通するトナー供給路部材に対して適正に対向配備することが要求される。しかも、トナー容器が容器挿入口に挿入され移動する際に、トナー排出口を開閉するシャッター等の開閉部材が誤作動することを防止する必要がある。
【０００５】
本発明の課題は、画像形成装置のトナー容器設置部にトナー容器をスムーズに着脱でき、特に、トナー容器の底面側の部材がトナー収容容器挿入口の底部にぶつかり、誤作動することを防止できる画像形成装置を提供することを目的とする。
【課題を解決するための手段】
【０００６】
本発明は前記課題を達成するため以下の構成とした。
本発明は、内部にトナーを収容したトナー収容容器が挿入される容器挿入口と、前記容器挿入口の周囲を囲む挿入口周囲壁面と、を備えた画像形成装置において、前記挿入口周囲壁面のうち、トナー収容容器挿入方向手前側の上部突出壁面より下部突出壁面が前記トナー収容容器挿入方向手前側により大きく突出し形成され、前記トナー収容容器はトナー収容容器挿入方向に直交する方向の略中央部の底部にトナー排出口を設けると共に、前記トナー排出口を開閉する収容容器開閉部材を備え、前記下部突出壁面のうち、前記トナー収容容器挿入方向に直交する方向における中央部が前記トナー収容容器挿入方向下流側に向かって前記収容容器開閉部材の挿入方向に直交する方向の長さよりも長い幅で切り込まれたへこみ部を有することを特徴とする。
【発明の効果】
【０００７】
本発明によれば、前記下部突出壁面の中央が切り欠かれてへこみ部を有するので、トナー容器の先端下部を位置合わせする時に、トナー収容容器挿入方向手前側である先端下部に設ける部材、例えば、シャッターを下部突出壁面である底面にぶつけて、シャッターを挿入動作の完了前に開けてしまうというような誤作動を防ぐ効果が得られる。
【図面の簡単な説明】
【０００８】
【図１】本発明に係る実施形態であるトナー収容容器をトナー容器設置部に配置した画像形成装置としての複写機の全体概略構成図である。
【図２】図１の画像形成装置の斜め正面要部斜視図で、開閉蓋の開放状態図である。
【図３】図１の画像形成装置のトナー容器設置部の拡大正面図である。
【図４】図１の画像形成装置のトナー容器設置部の拡大正面図で、トナー容器の一つを排除した状態を示す。
【図５】図１の画像形成装置のトナー容器を示し、（ａ）はトナー容器の縦断面図を、（ｂ）は斜め前方斜視図を、（ｃ）はトナー容器の前板の内側の斜視図を、（ｄ）はトナー容器の前壁板の断面図を示す。
【図６】図１の画像形成装置のトナー容器の底部斜視図で、（ａ）はシャッター開放状態を、（ｂ）はシャッター閉鎖状態を示す。
【図７】図１の画像形成装置のトナー容器の斜視図で、（ａ）は斜め後方視を、（ｂ）はトナー容器の容器内の撹拌板の斜視図を示す。
【図８】図６（ａ）の画像形成装置のトナー容器設置部及びトナー容器の縦断面図である。
【図９】図１の画像形成装置のトナー容器設置部及びトナー容器設置部の切欠斜め斜視図で、（ａ）はトナー容器排除状態を、（ｂ）トナー容器配備状態を示す。
【図１０】参考例１の画像形成装置のトナー容器を示し、（ａ）は斜め前方斜視図を、（ｂ）はトナー容器の前板の内側の斜視図を、（ｃ）はトナー容器の縦断面図を示す。
【図１１】参考例２の画像形成装置のトナー容器を示し、（ａ）は斜め前方斜視図を、（ｂ）はトナー容器の前板の内側の斜視図を、（ｃ）はトナー容器の縦断面図を示す。
【図１２】図１の画像形成装置のトナー容器に添付のカラー表示板を（ａ）に示し、（ｂ）に添付位置を、（ｃ）に添付位置の拡大図を示す。
【発明を実施するための形態】
【０００９】
以下、図を参照して本発明の実施形態を説明する。実施形態及び変形例等に亘り、同一の機能もしくは形状を有する部材や構成部品等の構成要素については、判別が可能な限り同一符号を付すことにより一度説明した後ではその説明を省略する。
【００１０】
まず、図１〜図４を参照して、本発明の第１実施形態としての画像形成装置を説明する。
図１は、本発明の実施形態に係る電子写真方式のプリンタとしての画像形成装置１００の基本構成を示す図である。この画像形成装置１００は、画像形成装置本体１の下部に記録材としての用紙１１が収納される複数の給紙トレイ１２Ａ、１２Ｂを備えた給紙部２が配設され、上方に画像形成部３を配置した構成としている。画像形成部３には、像担持体として感光体ドラム１０Ｙ，１０Ｍ、１０Ｃ，１０Ｋ（共通部材として１０で記すこともある）を有する作像ユニット８Ｙ，８Ｍ，８Ｃ，８Ｋ（共通部材として８で記すこともある）と、中間転写ユニット７が配置されている。中間転写ユニット７は複数のローラ４、５、６に巻きかけられた中間転写体としての中間転写ベルト７Ａを有する。
画像形成部３には、各感光体ドラム１０に光書込みを行う書込みユニット１５と、用紙１１に未定着トナー画像Ｔを定着させる定着装置２５とが配設されている。給紙部２から定着装置２５までの間には、用紙１１を搬送する搬送ローラを備えた搬送路１６が形成されている。
【００１１】
作像ユニット８は、感光体ドラム１０と、その周りに周知の帯電装置１０１、現像装置１０２、クリーニング装置１０３がそれぞれ配置され（作像ユニット８Ｙにのみ代表記載した）、プロセスカートリッジとして画像形成装置本体１に着脱される。各色の現像装置１０２には、イエロー、シアン、マゼンタ、ブラックのトナーが収納されている。トナーが減ると画像形成装置本体１の上方に設置されたトナー収容容器（トナーカートリッジ）であるトナー容器３１の排出口５０（図６（ａ）参照）からトナー搬送路ｒｔ（図１参照）を経由して現像装置１０２に各色に対応した補給用のトナーが供給される。
【００１２】
中間転写ベルト７Ａは、各感光体ドラム１０と対向して配置されていて、図１において反時計回りに回転移動するように構成されている。各感光体ドラム１０と対向する転写ベルト７Ａの内側には、一次転写手段としての転写ローラ１４Ｙ，１４Ｃ，１４Ｍ，１４Ｋ（共通部材として１４で記すこともある）がそれぞれ配置されていて、一次転写用の転写バイアスが印加されるように構成されている。転写ローラ１４と対向する部位には、ベルトクリーニング装置１７が配設されている。これら中間転写ベルト７Ａ、複数のローラ４〜６、転写ローラ１４、ベルトクリーニング装置１７は、一体のユニットとして構成されていて、画像形成装置本体１に対して着脱可能とされている。
【００１３】
中間転写ベルト７Ａには、二次転写バイアスが印加される二次転写手段としての転写ローラ２０が、ローラ６と対向する部位に当接している。転写ローラ２０と転写ベルト７Ａの一部は搬送路１６に臨むように配設されている。
【００１４】
書き込みユニット１５は光変調されたレーザ光を各感光体ドラム１０の表面に照射して、感光体表面に色毎の潜像を形成する。書き込みユニット１５は作像ユニット８Ｙ，８Ｃ，８Ｍ，８Ｋの下方に配置されていて、装置下方から装置上方に向かってレーザ照射が行われるように構成されている。
【００１５】
画像形成動作が開始されると、各作像ユニットの感光体ドラム１０Ｙ，１０Ｃ，１０Ｍ，１０Ｋが図示しない駆動手段によって時計方向に回転駆動され、各感光体ドラム１０の表面が各帯電装置１０１（図１参照）によって所定の極性に一様に帯電される。帯電された各感光体ドラムの表面には、書き込みユニット１５からレーザ光がそれぞれ照射されて、それぞれの表面に静電潜像が形成される。このとき、各感光体ドラム１０に露光する画像情報は所望のフルカラー画像をイエロー、マゼンタ、シアン、ブラックの色情報に分解した単色の画像情報である。このように形成された静電潜像は、各感光体ドラム１０と現像装置１０２との間を通るときに、各現像装置１０２のトナーによってトナー画像として可視像化される。
【００１６】
中間転写ベルト７Ａが、図示していない駆動手段によって反時計回り方向に移動すると、ベルト移動方向の最上流側に位置するイエローのトナーを有する現像装置１０２を具備する作像ユニット８Ｙが駆動する。ここで形成されたイエロートナー画像が転写ローラ１４Ｙによって転写される。イエロートナー画像には、マゼンタトナー画像、シアントナー画像、ブラックトナー画像が転写ローラ１４Ｃ、１４Ｍ、１４Ｋによって順次重ね転写され、中間転写ベルト７Ａはその表面にフルカラーのトナー画像を担持する。
【００１７】
トナー画像が転写された後の各感光体ドラム１０表面に付着する残留トナーは、各クリーニング装置１７によって感光体ドラム表面から除去され、その表面が図示していない除電装置によって除電作用を受け、その表面電位が初期化されて次の画像形成に備えられる。
【００１８】
一方、給紙部２からは給紙ローラ１８Ａまたは給紙ローラ１８Ｂが回転駆動されることで用紙１１が給紙されて搬送路１６に送り込まれる。送り込まれた用紙１１は、２次転写ローラ２０よりも給紙側の搬送路１６上に配設されたレジストローラ対１９によって給紙タイミングを計られて、ローラ６と転写ローラ２０との対向部に給送される。このとき転写ローラ２０には、中間転写ベルト表面のトナー画像のトナー帯電極性と逆極性の転写電圧が印加され、中間転写ベルト７Ａの表面のトナー画像が用紙１１上に一括して転写される。
【００１９】
トナー画像を転写された用紙１１は、定着装置２５へと搬送され、定着装置２５を通過する際に熱と圧力が加えられてトナー画像が溶融されて用紙１１上に定着される。トナー画像が定着された用紙１１は、用紙の搬送路の終端に位置する排出ローラ２１に向かって搬送され、画像形成装置本体１の上部に設けられた排紙トレイ２２へ排出される。トナー画像を用紙１１に転写した後の中間転写ベルト７Ａは、このベルトに残留したトナーをクリーニング装置１７によりクリーニングされる。
【００２０】
次に、画像形成装置におけるトナー補給部３７について詳述する。図２〜４に示すように、トナー補給部３７は画像形成装置本体１の手前側上部に配備される。このトナー補給部３７は、各トナー色に応じてトナー容器設置部３８Ｙ、３８Ｍ、３８Ｃ、３８Ｋが順次並列に形成される。そのトナー容器設置部３８Ｙ、３８Ｃ、３８Ｍ、３８Ｋ（共通部材として３８で記すこともある）内に、対応するトナー色のトナーを収容するトナー収容容器であるトナー容器３１Ｙ、３１Ｃ、３１Ｍ、３１Ｋ（共通部材として３１で記すこともある）が順次配備される。
トナー容器３１が差し込み装着される画像形成装置本体１側の各トナー容器設置部３８Ｙは、図８に示すように、トナー容器３１が挿入される容器挿入口３８１と、容器挿入口３８１の周囲を囲む挿入口周囲壁面ｆｒを形成する上壁３８２と、底壁３８３と、左右側壁３８４と、そのトナー収容容器挿入方向Ａで奥側の奥壁３８５とを備える。
【００２１】
ここで、図８に示すように、トナー容器設置部３８Ｙにトナー容器３１を収納した状態において、トナー容器３１の縦表面ｆ１は上壁３８２の挿入口周囲壁端ｕ１と同一面上にある。しかも、上部突出壁面を成す上壁３８２より、下部突出壁面を成す底壁３８３がトナー収容容器挿入方向手前側により大きく、ここでは、幅ａだけより大きく突出し形成される。このように、底壁３８３の挿入口周囲壁端ｕ２が幅ａだけ上壁３８２より手前側（図８で左側）に突出すよう形成することで、トナー容器３１を容器挿入口３８１へ装着する際に、トナー容器３１の後端を置く仮置台として操作性良く使用できる。
【００２２】
更に、底壁３８３の下部突出壁面のうち、トナー収容容器挿入方向Ａに対して直交する方向における略中央部(過度に左右端に偏らない程度の中央部)、ここでは中央部にトナー収容容器挿入方向Ａ下流側に向かって所定量へこみ部６１（図９（ａ）、（ｂ）参照）が形成される。更に、このへこみ部６１は収容容器開閉部材である後述のシャッター５１の挿入方向に直交する方向の長さＷ１（図６（ａ）参照）よりも長い幅Ｗ２（図９（ａ）、（ｂ）参照）で切り込まれて形成される。
このように、底壁３８３の下部突出壁面の中央が切り欠かれてへこみ部６１を有する。このため、トナー容器３１の先端下部を底壁３８３に置き、位置合わせする時に、先端下部に設けるシャッター５１が下部突出壁面である底壁３８３にぶつけることを回避できる。
更に、トナー容器３１がやや傾いて挿入されようとする際に、シャッター５１が底壁３８３の下部突出壁面の突出箇所に突き当たり、開閉部材が底面壁部にあたる可能性が低い。このため、シャッターを挿入動作の完了前に開けてしまうというような誤作動を防ぐ効果が得られる。
【００２３】
へこみ部６１から続く底壁３８３の壁面部には挿入口に挿入されるべきトナー容器３１に収容されているトナーの色が表示部ｍ１（図４参照）に表示されている。ここには、例えば、該当する色のシールを添付する。これにより、トナー容器設置部３８に対して、異なる色トナーのトナー容器３１を差し込むことを、目視し易い底壁３８３の壁面部に表示している。このように、へこみ部６１近傍に色表示部が設けられることで、誤って違う色のトナー容器３１を挿入してしまうことを確実に防止できる。
ところで、図４、図９（ａ）、（ｂ）に示すように、底壁３８３はそのトナー収容容器挿入方向Ａと直交する方向での中央にへこみ部６１を形成し、更に、その奥側にトナー容器３１をトナー収容容器挿入方向Ａに導く一対の突状レール６２が突設され、突状レール６２の更にその奥側にストッパ面ｆｓが形成された台状部６３が形成される。１対の突状レール６２は後述するトナー容器本体３１Ａの下壁側の下向き溝３１１（図６（ａ）、（ｂ）参照）を奥側に移動させるよう導き、適正位置に案内する機能を有する。台状部６３はその前向き壁であるストッパ面ｆｓがトナー容器本体３１Ａの下壁側のシャッター５１（図６（ａ）参照）と当接することで、シャッター５１を閉鎖位置Ｐ１より開放位置Ｐ２に切換えるよう作動させることが出来る。
【００２４】
図２に示すように、画像形成装置本体１の手前側上部にはトナー補給用の矩形の開閉蓋３４が枢支され、開閉蓋３４によりトナー補給部３７が外部より覆われ、あるいは図２、３に示すように、露呈される。開閉蓋３４は矩形であり、上端縁３４１を回動端とし、下端縁３４２を枢支端をとし、同下端縁がヒンジ部３４３を介して画像形成装置本体１に枢支され、ヒンジ中心線を中心に開閉される。開閉蓋３４は閉鎖時において、磁気利用のロック装置４１によって閉鎖を維持でき、磁力に抗して開放された際は上端縁３４１をヒンジ部３４３を中心に手前側に揺動させ、ほぼ水平状態を保持する全開位置Ｐ１を保持するよう構成されている。
【００２５】
なお、開閉蓋３４は蓋本体３４０側より屈曲して内側である画像形成装置本体１側に延びる周縁リブ３４４を突設する。この周縁リブ３４４により蓋本体３４０は画像形成装置本体１の前壁面より幅ａ（図５（ａ）参照）だけ突き出た厚板状を成し、剛性強化が図られている。なお、周縁リブ３４４の内側で蓋本体３４０の内側面には周縁リブ３４４と共に開閉蓋３４を補強する複数の補助リブ３４５が網目状に形成されている。更に、蓋本体３４０の内側面には補助リブ３４５を排除した４つの平たん部３４６が形成される。この平坦部３４６はトナー容器３３Ｙ、３３Ｃ、３３Ｍ、３３Ｋの後述する前壁部の最先端となる把持部の色表示板部４２（図５（ａ）参照）との干渉を防ぐようにしている。
【００２６】
図２により本発明の実施形態のトナー容器３１Ｙ、３１Ｃ、３１Ｍ、３１Ｋについて更に、説明を追加する。
トナー容器３１は、トナーが充填されるトナー収納部であるトナー容器本体３１Ａと、トナー容器本体３１Ａ内に架設されたトナー搬送部材としてのトナー搬送スクリュ３３（図７（ｂ）参照）と、回転撹拌部材３２とを有する。
トナー容器３１は箱状に構成されている。トナー容器３１の挿入方向上流側の表縦板７１にはユーザーがトナー容器３１を把持しやすくするための把持部７２が設けられている。
ここで、把持部７２は、トナー容器３１の容器本体３１Ａの手前面に対して内側（奥側）と外側（手前方向）へ突出する両部７４，７５により角柱形に形成される。このため、前後が短い容器本体３１Ａの手前面に対し把持部７２の内側（奥側）と外側（手前方向）の両突出し部７４，７５が、横向きの角柱形を成すので、剛性強化された把持部７２を表縦板７１に配置できる。
【００２７】
更に、図５（ａ）〜（ｃ）に示すように、把持部７２の指係り面７６の手前端が表縦板７１の手前面に対して外側（手前方向）へ突出し、外側への突出量α１が内側（奥方向）への突出量α２より少ない。これにより、内側突出量α２が多くなりトナー容器の容積は減るのであるが、このように指係り面７６の手前端を手前方向へ突出させると内側（奥側）の突出し部７４の内側突出量が少なくなり容積が増える。これに対して図１０（ａ）〜（ｃ）に示すように、内側の突出し部７４の突出し量α３を小さくし、人の指が入るような奥行を確保した把持部を配置した場合、外側突出量α４を多くすることとなってしまうので、表縦板７１が奥側になり、トナー容器の容積が減ることとなる。これに対し、図１１（ａ）〜（ｃ）に示すように、外側突出量を少なく（ゼロ）すると、内側の突出し部７４の突出し量α５が大きくなり、容器本体３１Ａの容積が減少する。
【００２８】
図５（ａ）、（ｃ）に示すよう把持部７２の指係り面７６と、容器本体の内側（奥方向）７４の突出する把持部の下部７４１が、４５度より急な角度で傾斜している。このように指係り面７６を成す外側（手前方向）突出し部７５と内側へ突出する把持部の下部７４１である内側（奥側）突出し部７４の下部を傾斜させることで、金型を斜めにスライドさせるようにして、一体成形を可能にでき、部品費を低減できる。更に、指係り面の傾斜を急な角度にすると人の指が引っ掛けやすくなり、把持部奥行（内側突出量）も減るため、容器の引き抜きやすさを確保でき、容積も増える。
図１２（ａ）〜（ｃ）に示すように、把持部７２の表側突部７２ａに多数のリブでトナー色表示のデカル（２Ｄイメージで、デカルを使用してモデルに所望の表示等を行うラベル）７８の貼付部を形成した。この場合、把持部７２の指係り面７６の手前側で、容器本体３１Ａの手前面に対しほぼ矩形で外側（手前方向）へ突出した。この場合、把持部の外側突出し部７５の指係り面の手前側が密集させた補強用のリブで一体成形され、デカル貼付部を設けることができるため、金型費を低減できる。デカル貼り分けにより、トナー色を示すと各色容器を共通化できるため、部品費・管理手間を低減できる。把持部７２の貼付部を突出させると裏側形状部である内側（奥側）突出し部７４の自由度を確保でき、内側（奥側）突出し部７４に第２、第３の上部傾斜面７４２，７４２（図５（ｃ）参照）を追加し、トナー落下移動を容易化しても、デカル外形に影響しないし、矩形のまま容積も増えるという効果がある。
【００２９】
把持部７２はトナー容器本体３１Ａの手前面に対しほぼ矩形で外側（手前方向）へ突出するので、上面７２５（図５（ｂ）参照）とが水平となるように突出させることができ、そこに親指を引っ掛けられるため、把持部をさらにしっかり握れる。
把持部の指係り面の手前端がトナー容器着脱用開閉部材の奥面より手前側に位置するので、相互干渉を防止でき、トナー容器本体３１Ａの容積を確保できる。
次に、図７、図８に沿ってトナー容器３１内の回転撹拌部材３２の説明を追加する。
トナー容器本体３１Ａ内でトナー搬送スクリュ３３と上下に平行に配設された回転軸としての剛体軸部材３２Ｂの回りに一体回転することによりトナーを撹拌する。トナー容器本体３１Ａの底部内壁部は、回転撹拌部材３２の回転軌道に沿った円形状部を有する。回転撹拌部材３２は、トナー容器本体３１Ａ内のトナーの撹拌及びトナー搬送スクリュ３３へのトナーの搬送のために設けられている。回転撹拌部材３２は、剛体軸部材３２Ｂと、それと一体に成形された剛体骨部材３２Ａ、及び剛体骨部材３２Ａの末端部に取り付けられる可撓性羽根部材３２Ｃを有する。剛体骨部材３２Ａ、可撓性羽根部材３２Ｃは、剛体軸部材３２Ｂを中心にした回転軌道を有するように形成され、かつ、剛体軸部材３２Ｂに対して、剛体軸部材３２Ｂの軸に直角な方向に軸対称となるように双方向に突出した形状で、１８０度間隔を設けた２枚羽根形状としている。
【００３０】
また、回転撹拌部材３２は、剛体軸部材３２Ｂの一方向のみ突出した１枚羽根形状として形成してもよい。回転撹拌部材３２には、剛体骨部材３２Ａに開口部３２Ｄが設けられており、トナーが通過可能になっている。可撓性羽根部材３２Ｃの先端部は、回転時にトナー容器本体３１Ａの底部内壁部に接触するように長さを設定することができる。
剛体骨部材３２Ａに設けられた可撓性羽根部材３２Ｃの先端部がトナー容器本体３１Ａの底部内壁部に接触する状態で回転することにより、付着したトナーを掻き出すことができ、トナーが残留することが少なくなるという効果が生じる。
なお、図３に示すように、トナー容器３１Ｙに対して３１Ｋは大容量化を図っている。ここでＢ（ブラック）のトナー容器本体３１Ａだけは横幅寸法が他のカラー色のものよりも増やして形成される。このトナー容器３１Ｋは内部に互いに非干渉で回転する左右２つの２枚羽根（不図示）を有するよう構成されている。これにより、容量の多い黒色トナーの収容と攪拌を容易化するよう構成されている。
【００３１】
図７（ｂ）に示すように、剛体軸部材３２Ｂ及び剛体骨部材３２Ａは、金属・樹脂などで一体的に形成するのが簡便で好ましいが、他の材料あるいは製造方法であっても良い。可撓性羽根部材３２Ｃは剛性の低い材質、例えばＰＥＴ（ポリエチレンテレフタレート）または、ＰＥ（ポリエチレン）、ＰＰ（ポリプロピレン）、ＰＰＳ（ポリフェニレンサルファイド）、ポリウレタンシート等可撓性を有する部材から成る。厚さは約５０μｍ〜５００μｍ程度が好ましく、特に５０μｍ〜３００μｍが好適である。可撓性羽根部材３２Ｃは、可撓性を有することにより、トナー容器３１の底部内壁部に先端部が接触した状態でも、回転を妨げられることがない。
【００３２】
図７（ｂ）に示すように、トナー容器３１における回転撹拌部材３２とトナー搬送スクリュ３３は上下に対向して並列配備される。トナーを排出口５０から現像装置１０２に供給するために容器底面に設置されるトナー搬送スクリュ３３は、回転撹拌部材３２との接触を避けるために回転撹拌部材３２の回転軌道外に設けられる。このためトナー容器本体３１Ａの底部外形に凸形状が生まれ、この下向き溝３１１（図６（ａ）、（ｂ）参照）がトナー容器本体３１Ａ内のトナーを排出口５０まで搬送する機能を有する。
【００３３】
トナー容器３１内部のトナーは、回転撹拌部材３２により撹拌され、トナー搬送スクリュ３３に搬送される。
トナー搬送スクリュ３３はトナー排出口５０（図８参照）を経由してトナー容器３１の下に配置される図示しないサブホッパもしくは現像装置１０２へトナーを搬送する。
【００３４】
このようなトナー容器３１内部の奥壁３８５には回転撹拌部材３２（図７（ｂ）参照）とトナー搬送スクリュ３３（図７（ｂ）参照）の駆動部が配備される。
ここで、駆動部の駆動端は、回転撹拌部材３２（図７（ｂ）参照）側と対向する上駆動軸６５と一体の爪部６６と、トナー搬送スクリュ３３側と対向する下駆動軸６７と一体の爪部６８とを供え、これらは奥壁３８５側に枢支されている。
上駆動軸６５の爪部６６は回転撹拌部材３２の剛体軸部材３２Ｂの先端のジョイント３２Ｄと係合可能に形成される。
【００３５】
下駆動軸６７の爪部６８はトナー搬送スクリュ３３（図７（ｂ）参照）の剛体軸部材３３Ｂの先端のジョイント３３Ｄと係合可能に形成される。
これらは、トナー容器３１が画像形成装置本体１側のトナー容器設置部３８に差込装着されると同時に、爪部６６がジョイント３２Ｄと係合し、爪部６８がジョイント３３Ｄと係合する。これにより、上駆動軸６５が剛体軸部材３２Ｂを介して回転撹拌部材３２を回転させ、回転撹拌部材３２により容器内のトナーの攪拌を行える。下駆動軸６７が剛体軸部材３３Ｂを介してトナー搬送スクリュ３３を駆動して、トナーをトナー排出口５０に移動させ、流下させることが出来る。
次に、図６、図８に沿ってトナー排出口５０の開閉構成を説明する。
トナー容器３１の底部の下向き溝壁３１１はトナー収容容器挿入方向Ａに長く形成され、そのトナー収容容器挿入方向Ａの奥側に矩形のトナー排出口５０が下向きで形成されている。このトナー排出口５０は収容容器開閉部材であるシャッター５１で開閉される。シャッター５１は矩形の本体部５１１とその左右の屈曲ガイド部５１２と、屈曲ガイド部５１２の一部を成す弾性片部５１３とその先端の係止部５１４とで形成される。
【００３６】
ここで、左右の係止部５１４が下向き溝壁３１１に形成された左右のレール溝３１２（図７（ａ）に一方のみ示した）に弾性的にスライド可能に嵌合しており、下向き溝壁３１１の下面に離脱不可に本体部５１１がトナー収容容器挿入方向Ａに摺接可能に形成される。しかも、下向き溝壁３１１の下面に摺接する本体部５１１がトナー排出口５０を閉鎖する閉鎖位置Ｐ１と開放する開放位置Ｐ２とに切り替え移動でき、不図示のばねで閉鎖位置Ｐ１方向に付勢されている。
このようなシャッター５１は図８に示すように、トナー容器設置部３８Ｙにトナー容器３１を容器挿入口３８１に差し込み嵌合される場合において、閉鎖位置Ｐ１のシャッター５１の先端側が台状部６３の前向き壁であるストッパ面ｆｓに当接する。すると、シャッター５１は図８に示すように閉鎖位置Ｐ１より開放位置Ｐ２に不図示のばねの弾性力に抗して切換え移動し、トナー排出口５０を開放し、台状部６３の上向き当接部６３１がトナー排出口５０の回りに密に当接する。これにより上向き当接部６３１のトナー降下路６３２に流下したトナーはトナー容器本体３１Ａの下に配置される図示しないサブホッパもしくは現像装置１０２へ搬送される。
【００３７】
なお、トナー容器設置部３８Ｙよりトナー容器３１を引き出すと、台状部６３のストッパ面ｆｓよりシャッター５１の先端側が離脱し、不図示のばねの弾性力で、シャッター５１は閉鎖位置Ｐ１に戻り、トナー容器３１は外部より閉鎖され、トナー排出が防止される。
図１の画像形成装置は上述のように、トナー容器３１の底面側の部材３８１がトナー収容容器挿入口３８１の底部にぶつかり、誤作動することを防止できる。更に、トナー容器３１はトナー収容容器挿入方向の長さが、当該挿入方向に直交する方向の長さよりも短いという場合でも、奥行きの小さいトナー収容容器を容器挿入口に容易に差し込みできる。更に、トナー収容容器挿入方向下流側に延びる底面側の部材３８１の底面にトナー容器３１に収容されているトナーの色情報が表示されているので、誤って色違いのトナー収容容器を容器挿入口に差し込むことを防止できる。
トナー容器３１の底壁でシャッター５１の左右方向（容器挿入方向Ａに直交する方向）には容器から下方に伸びる板状で、一対の板部７９が設けられている。
【００３８】
一対の板部７９の容器挿入方向Ａ下流側端面はシャッター５１の下流側端面よりも下方に突出されている（図８参照）。このため、一対の板部７９はシャッター５１を挟んで、所定の幅Ｗ３をもって立設されている。更に、両板部間の幅Ｗ３はへこみ部６１の幅Ｗ２よりも大きくなるように構成されている。このため、トナー容器３１の板部７９が底壁３８３の下部突出壁面の上に当接してから、容易にトナー容器の位置調整をして挿入方向に差込操作でき、この間、シャッター５１はへこみ部６１により下部突出壁面との干渉を防止され、例えば、シャッター５１を底面にぶつけて、開けてしまう誤作動を防ぐという効果が得られる。
【００３９】
上述のところで、画像形成装置としてプリンタの構成を説明したが、これ以外にも画像形成装置としては、カラー複写機、ファクシミリ装置、スキャナ等に適用することができる。
【符号の説明】
【００４０】
７    板部
３１    トナー収容容器
３１Ａ    容器本体
３８１    容器挿入口
３８２    上部突出壁面を成す上壁（挿入口周囲壁面）
３８３    下部突出壁面を成す底壁（挿入口周囲壁面）
５０    トナー排出口
５１    シャッター（収容容器開閉部材）
６１    へこみ部
Ａ    トナー収容容器挿入方向
Ｗ１    シャッターの幅
Ｗ２    へこみ部幅
Ｗ３    両板部の幅
【先行技術文献】
【特許文献】
【００４１】
【特許文献１】特開２００５−３００９１１公報
【特許文献２】特開２００７−１４８３２０公報
【図１】
2014219573.tif 000003
【図２】
2014219573.tif 000004
【図３】
2014219573.tif 000005
【図４】
2014219573.tif 000006
【図５】
2014219573.tif 000007
【図６】
2014219573.tif 000008
【図７】
2014219573.tif 000009
【図８】
2014219573.tif 000010
【図９】
2014219573.tif 000011
【図１０】
2014219573.tif 000012
【図１１】
2014219573.tif 000013
【図１２】
2014219573.tif 000014